(57)【要約】【課題】適切にスクリーンに画像を表示することができ、画像情報を含まない散乱光を除去できるプロジェクタ装置を提供することである。【解決手段】筐体１１内に収納されたプロジェクタ１２は、画像情報を含む光束を投写レンズを介して出射し、第１の反射板１３や第２の反射板１４で反射され、筐体１１の前面側に設けられたスクリーン１５に投影される。筐体１１内に設けられた反射ミラー１４の反射方向および表面の曲率は、反射ミラー調節部１６により機械的に調節され、スクリーン１５の画像の歪みやずれを調整する。【選択図】  図１
2004361748.tif 000002
【特許請求の範囲】
【請求項１】
筐体内に収納され画像情報を含む光束を投写レンズを介して出射可能に構成されているプロジェクタと；
前記筐体の前面側に設けられ前記プロジェクタから投射される光束を投影するスクリーンと；
前記プロジェクタからの光束を前記スクリーンの背面側全面に向けて反射する前記筐体内の投写経路内に配置された少なくとも１つ以上の反射ミラーと；
前記反射ミラーの反射方向および表面の曲率を機械的に調節する反射ミラー調節部と；
を備えたことを特徴とするプロジェクタ装置。
【請求項２】
前記プロジェクタの投写レンズと前記反射ミラーとの間に設けられ前記光束のうち有効画素を構成しない光束を遮光する遮光マスクを備えたことを特徴とする請求項１記載のプロジェクタ装置。
【発明の詳細な説明】
【０００１】
【発明の属する技術分野】本発明は、画像表示素子で作成された画像情報をスクリーンへ拡大投写して表示するプロジェクタ装置に関する。
【０００２】
【従来の技術】一般に、プロジェクタ装置は筐体内に画像情報を含む光束を出射するプロジェクタを配置すると共に、そのプロジェクタからの光束を透光性のスクリーンの背面に投影して画像情報を表示するものである。プロジェクタでは、光源から射出された光を液晶ライトバルブや微小ミラー集合体のミラーアレイ等の画像表示素子などを用いて画像情報（画像信号）に応じて変調し、変調された光を投写レンズを介して出射する。投写レンズから出射された光束は、筐体内の投写経路内に配置された反射ミラーで反射してスクリーン上に投写することにより画像表示する場合がある。このようなプロジェクタ装置では、複数の反射ミラーを組み合わせることによって画像情報を含む光束の投写経路を屈曲させながら前記スクリーン上に投写し、この場合、複数の反射ミラーは、通常、１つの共通の筐体に組み込まれている。
【０００３】
一方、プロジェクタの内部においても光源と投写レンズとの間において複数のミラーが組み込まれている。そして、光源と投写レンズとの間の光学系において、ミラーの光入射面に略平行な２つの方向を中心としてミラーを回動させることにより、ミラーの角度を調整するためのミラー調整機構を備え、ミラーの角度調整を精度よく行うようにしたものがある（例えば特許文献１参照）。また、プロジェクタの投写レンズと光源との間の経路中に導光管を配置し、投写レンズから出向する光のコントラストを向上させたものもある（特許文献２参照）。
【０００４】
【特許文献１】特開２００２−９０８７６号公報（図６）
【０００５】
【特許文献２】特開平５−２４１２３８号公報（図１）
【０００６】
【発明が解決しようとする課題】しかしながら、プロジェクタ装置内部のミラーの取付角度を変えることで光全体の反射方向は変化するものの、ミラー表面の僅かな歪み（ミラー自身の厚さや自重、取付構造に起因するもの）によって現れる画面歪みの調整には対処できていない。従って、筐体内に設けられる反射ミラーの反射光方向や表面の曲率にずれがあると、適切にスクリーンに画像を表示することができなくなる。
【０００７】
一方、プロジェクタの投写レンズと光源との間の経路中に導光管を配置した場合にはコントラストを向上することができるが、投写レンズ内部での散乱光を含む不要光は除去されない。従って、プロジェクタから最終的に出射する光には有効画素を構成しない散乱光を含むことになる。
【０００８】
本発明の目的は、適切にスクリーンに画像を表示することができ、画像情報を含まない散乱光を除去できるプロジェクタ装置を提供することである。
【０００９】
【課題を解決するための手段】請求項１の発明に係わるプロジェクタ装置は、筐体内に収納され画像情報を含む光束を投写レンズを介して出射するプロジェクタと；前記筐体の前面側に設けられ前記プロジェクタから投射される画像情報を含む光束を投影するスクリーンと；前記プロジェクタからの光束を前記スクリーンの背面側全面に向けて反射する前記筐体内の投写経路内に配置された少なくとも１つ以上の反射ミラーと；前記反射ミラーの反射方向および表面の曲率を機械的に調節する反射ミラー調節部と；を備えたことを特徴とするものである。
【００１０】
本発明および以下の発明において、特に指定しない限り用語の定義および技術的意味は以下による。プロジェクタ装置は、屋内等において文字や図形等の画像情報を表示するものであり、筐体の前面側にスクリーンを有し、筐体内にプロジェクタを収納して構成される。プロジェクタは画像情報を含む光束を投写レンズを介して出射するものであり、光源を有し、その光源から射出された光を画像表示素子に出射し、画像表示素子で作成された画像情報を含む光束を投写レンズを介して出射する。画像表示素子は、例えば液晶ライトバルブや微小ミラー集合体のミラーアレイ等であり、外部からの信号により光源からの光を変調して画像情報（画像信号）を作成するものである。
【００１１】
スクリーンは、筐体の前面側に設けられ、筐体内のプロジェクタから投射される画像情報を含む光束を投影して前面側に画像情報を表示するものである。スクリーンは、例えば、レンチキュラーレンズシートとサーキュラフレネルレンズとを組み合わせて構成され、背面側から入射された画像情報を含む光束を前面側にほぼ平行に出射する。
【００１２】
反射ミラーは筐体内の投写経路内に少なくとも１つ以上設置される。反射ミラーは、プロジェクタからの光束を反射してスクリーンまでの投影距離を大きくし画像情報を含む光束を拡大するものであり、最終段の反射ミラーはプロジェクタからの光束をスクリーンの背面側全面に向けて反射する。
【００１３】
また、反射ミラー調節部は、筐体内に設けられた反射ミラーでの光束の反射方向および表面の曲率を機械的に調節するものである。例えば、筐体の外側から反射ミラーの背面を部分的に機械的に押圧できる複数個の調整部材を設け、この複数個の調整部材の押圧力を変化させることにより、反射ミラーの反射方向および表面の曲率を変化させる。
【００１４】
本発明によれば、反射ミラーでの光束の反射方向および表面の曲率を機械的に調節できるので、反射光を適切にスクリーンに投影することができる。従って、適切にスクリーンに画像情報を表示することができる。
【００１５】
請求項２の発明に係わるプロジェクタ装置は、請求項１の発明において、前記プロジェクタの投写レンズと前記反射ミラーとの間に設けられ前記光束のうち画像情報を含まない光束を遮光する遮光マスクを備えたことを特徴とするものである。
【００１６】
本発明は、プロジェクタから最終的に出射する光には散乱光が含まれるので、遮光マスクにより、プロジェクタの投写レンズから出射された光束のうち画像情報を含まない光束を遮光するようにしたものである。
【００１７】
本発明によれば、画像情報を含まない光束を遮光するので、反射ミラーで不要な散乱光が反射されることがなくなり、スクリーンには不要な散乱光を含まない画像情報が鮮明に投影できる。
【００１８】
【発明の実施の形態】（第１の実施の形態）図１は本発明の第１の実施の形態に係わるプロジェクタ装置の側面図である。筐体１１内には、画像情報を含む光束を投写レンズを介して出射するプロジェクタ１２が設置され、プロジェクタ１２からの光束は、第１の反射ミラー１３および第２の反射ミラー１４で反射され、筐体１１の前面側に設けられたスクリーン１５に投射される。
【００１９】
プロジェクタ１２は放電ランプ等の光源を有し、その光源から射出された光を画像表示素子に出射し、画像表示素子で作成された画像情報を含む光束を投写レンズを介して出射する。画像表示素子は、例えば液晶ライトバルブや微小ミラー集合体のミラーアレイ等で構成され、外部からの信号により光源からの光を変調して画像情報（画像信号）を作成する。
【００２０】
第１の反射ミラー１３および第２の反射ミラー１４は、プロジェクタ１２からの画像情報を含む光束の筐体１１内の投写経路内に配置され、プロジェクタ１２からの光束を反射させることで、光路を筐体内で変化（屈曲）させている。また、最終段の第２の反射ミラー１４はプロジェクタ１２からの光束をスクリーン１５の背面側全面に向けて反射する。これにより、筐体１１を大きくすることなく、プロジェクタ１２からの画像情報を拡大してスクリーン１５の全面に表示できるようにしている。スクリーン１５は、例えば、レンチキュラーレンズシートとサーキュラフレネルレンズとを組み合わせて構成され、その背面側から拡大入射された画像情報を含む光束をこの面で結像させると共に所望の視野角が得られるようになっている。
【００２１】
また、最終段の第２の反射ミラー１４には、第２の反射ミラー１４の反射方向および表面の曲率を機械的に調節するための反射ミラー調節部１６が設けられている。反射ミラー調節部１６は、筐体１１内に設けられた第２の反射ミラー１４での光束の反射方向および表面の曲率を機械的に調節するものであり、筐体１１の外側から第２の反射ミラー１４の背面を部分的に機械的に押圧できる複数個の調整部材１７が設けられている。この複数個の調整部材１７の押圧力を変化させることにより、第２の反射ミラー１４の反射方向や表面の曲率を変化させて、スクリーン１５に表示される画像の歪みをなくすように調節する。
【００２２】
図２は反射ミラー調節部１６の断面図であり、図２（ａ）は調整部材１７による押圧を発生させていない場合の断面図、図２（ｂ）は調整部材１７による押圧を発生させた場合の断面図である。反射ミラー調節部１６は筐体１１の外面部に調整部材１７を保持するための保持板１８が設けられ、筐体１１内の内部には第２の反射ミラー１４を保持し調整部材１７の押圧を受けて第２の反射ミラー１４の背面を屈曲させる調整板１９が設けられている。調整部材１７の先端は調整板１９に固定されている。調節部材１７は、例えば雄ネジのネジ部材で構成され、保持板１８および筐体１１に形成された雌ネジと螺合して筐体内部１１の調整板１９に押圧力を与えるようになっている。図２（ｂ）では、調整部材１７を筐体１１の内部に突出させ、調整板１９を介して第２の反射板１４を屈曲させた状態を示している。
【００２３】
図３は、筐体１１の外面部から見た場合の反射ミラー調節部１６の平面図である。反射ミラー調節部１６の保持板１８は、第２の反射ミラー１４よりやや大きめに形成され、複数個の調節部材１７を保持している。このように、反射ミラー調節部１６の保持板１８に取り付けられた複数個の調整部材１７の調整板１９への押圧力を調整して、第２の反射ミラー１４の反射方向や曲率を調整する。
【００２４】
以上の説明では、最終段の第２の反射ミラー１４に反射ミラー調節部１６を設ける場合について説明したが、第１の反射ミラー１３に設けるようにしても良い。すなわち、複数個の反射ミラーを有する場合には、スクリーン１５までの投写経路のいずれの反射ミラーに反射ミラー調節部１６を設けるようにしても良い。また、図４に示すように、１個の反射ミラー２０のみを有したプロジェクタ装置の場合には、その１個の反射ミラー２０に反射ミラー調節部１６を設けることになる。
【００２５】
第１の実施の形態によれば、反射ミラー調節部１６の調整部材１７により、反射ミラーでの光束の反射方向および表面の曲率を機械的に調節できるので、反射光を適切にスクリーンに投影することができる。従って、歪みやずれのない画像情報を適切にスクリーンに表示できる。
【００２６】
（第２の実施の形態）図５は本発明の第２の実施の形態に係わるプロジェクタ装置の側面図である。この第２の実施の形態は、図１に示した第１の実施の形態に対し、プロジェクタ１２の投写レンズと第１の反射ミラー１３との間に遮光マスク２１を追加して設けたものである。
【００２７】
遮光マスク２１は、プロジェクタ１２からの光束のうち画像情報を含まない光束を遮光するものであり、スクリーン１５への投写に必要な略横長の長方形の画像情報（映像または文字）のみを出射し、投写レンズ内部およびプロジェクタ１２の内部で発生した不要光をカットする。図５に示すように、プロジェクタ１２の投写レンズの前面に遮光マスク２１を設け、スクリーン１５に投射される画像情報のみの光束を通過させ、それ以外の不要光をカットする。この遮光マスク２１の取り付けは、プロジェクタ１２または投写レンズと常に連動して移動するように取り付ける。これにより、ズームの変更をした場合であっても適切に不要光を除去できる。
【００２８】
以上の説明では、プロジェクタ１２の投写レンズと第１の反射ミラー１３との間に遮光マスク２１を設けるようにしたが、スクリーン１５の下側の不要光をカットする遮光マスク２１については、第１の反射ミラー１３と第２の反射ミラー１４との間に設けるようにしても良い。また、図６に示すように、１個の反射ミラー２０のみを有したプロジェクタ装置の場合には、プロジェクタ１２の投写レンズと反射ミラー２０との間に遮光マスク２１を設けることになる。
【００２９】
第２の実施の形態によれば、プロジェクタ１２から最終的に出射する光に含まれる散乱光を遮光マスク２１により遮光するので、反射ミラーで不要な散乱光が反射されることがなくなり、スクリーン１５に不要な散乱光を含まない画像情報を鮮明に投影できる。
【００３０】
【発明の効果】請求項１の発明によれば、反射ミラーでの光束の反射方向および表面の曲率を機械的に調節できるので、反射光を適切にスクリーンに投影することができる。従って、適切にスクリーンに画像情報を表示することができ、簡単な構造でかつ歪みのない高品位の画像が得られる。
【００３１】
請求項２の発明によれば、画像情報を含まない光束を遮光するので、反射ミラーで不要な散乱光が反射されることがなくなり、スクリーンには不要な散乱光を含まない画像情報が鮮明に投影でき、歪みのない高品位の画像が得られる。
【図面の簡単な説明】
【図１】本発明の第１の実施の形態に係わるプロジェクタ装置の側面図。
【図２】本発明の第１の実施の形態における反射ミラー調節部の断面図。
【図３】本発明の第１の実施の形態におけるプロジェクタ装置の筐体の外面部から見た場合の反射ミラー調節部の平面図。
【図４】本発明の第１の実施の形態に係わるプロジェクタ装置の他の一例の側面図。
【図５】本発明の第２の実施の形態に係わるプロジェクタ装置の側面図。
【図６】本発明の第２の実施の形態に係わるプロジェクタ装置の他の一例の側面図。
【符号の説明】１１…筐体、１２…プロジェクタ、１３…第１の反射ミラー、１４…第２の反射ミラー、１５…スクリーン、１６…反射ミラー調節部、１７…調整部材、１８…保持板、１９…調整板、２０…反射ミラー、２１…遮光マスク
【図１】
2004361748.tif 000003
【図２】
2004361748.tif 000004
【図３】
2004361748.tif 000005
【図４】
2004361748.tif 000006
【図５】
2004361748.tif 000007
【図６】
2004361748.tif 000008